(57)【特許請求の範囲】
【請求項１】
レンズを通して入射された光を少なくとも２色に分解して出力するプリズムと、
上記プリズムの相対する側面部に直付けされる基準部材となる支持台板と、
上記支持台板に固定されるプリズムカバーと、
上記プリズムで分解されて出力された光を撮像信号に変換して出力する撮像素子と、
上記撮像素子が実装された撮像基板を支持し、上記プリズムカバーに固定されるホルダと、
上記レンズを保持し、上記プリズムの光の入射面側において上記支持台板にねじで固定されるレンズマウントとを備える撮像ユニット。
【請求項２】
上記ホルダは、上記プリズムカバーに、接着部材を介して固定され、
上記プリズムカバーと上記ホルダとは、上記接着部材に線膨張係数を合わせている
請求項１記載の撮像ユニット。
【請求項３】
上記撮像基板は、上記ホルダにねじ止めされている
請求項２記載の撮像ユニット。
【請求項４】
上記接着部材は、ガラスであり、
上記支持台板は、セラミックであり、
上記プリズムカバーとホルダは、チタンである
請求項２記載の撮像ユニット。
【請求項５】
レンズを通して入射された光を少なくとも２色に分解して出力するプリズムと、
上記プリズムの相対する側面部に直付けされる基準部材となる支持台板と、
上記支持台板に固定されるプリズムカバーと、
上記プリズムで分解されて出力された光を撮像信号に変換して出力する撮像素子と、
上記撮像素子が実装された撮像基板を支持し、上記プリズムカバーに固定されるホルダと、
上記レンズを保持し、上記プリズムの光の入射面側において上記支持台板にねじで固定されるレンズマウントとを備える撮像装置。
【発明の詳細な説明】
【技術分野】
【０００１】
本発明は、入射光をプリズムにより分光して撮像素子に入射させる撮像ユニット及びこの撮像ユニットを備えた撮像装置に関する。
【背景技術】
【０００２】
撮像装置において、撮像ユニットは、例えば、レンズを通して入射した光を３色に分解して出力するプリズムと、このプリズムで分解・出力された光を撮像信号に変換する撮像素子とを備えている。そして、撮像素子は、撮像基板に実装される。この撮像基板は、プリズムに、接着剤によって直付けで固定されている。この種の撮像ユニットにあっては、固着後の温度変化によるプリズムと撮像素子との位置ずれを最小限にすることが重要である。
【０００３】
従来は、プリズムに、線膨張係数を合わせた部品を取り付け、撮像素子側にも同様の部品を取り付け、位置あわせ後、半田よって固定するようにしている。
【０００４】
プリズムは、ガラスの貼り合せなので、その貼り合せ面が、所定の環境下において動く問題があり、この問題を解決することは困難である。また、以上の例では、プリズムと撮像素子との接続に半田を用いているが、半田は、その弾性変形分や空気を巻き込んだときの対応策が難しく、プリズムに対して撮像素子の位置がずれてしまうことがある。
【０００５】
特許文献１に記載された撮像ユニットにあっても、プリズムに対して撮像素子を直接的に固定しており、従って、以上のような問題点が同様に発生する。
【先行技術文献】
【特許文献】
【０００６】
【特許文献１】特開平０２−２５２３８７号公報
【発明の概要】
【発明が解決しようとする課題】
【０００７】
本発明は、撮像素子、プリズムの再利用することができ、また、プリズムに依存する撮像素子の位置ずれを防止することができる撮像ユニット及びこの撮像ユニットを備えた撮像装置を提供することを目的とする。
【課題を解決するための手段】
【０００８】
上述の課題を解決するために、本発明に係る撮像ユニットは、レンズを通して入射された光を少なくとも２色に分解して出力するプリズムと、上記プリズムの相対する側面部に直付けされる基準部材となる支持台板と、上記支持台板に固定されるプリズムカバーと、上記プリズムで分解されて出力された光を撮像信号に変換して出力する撮像素子と、上記撮像素子が実装された撮像基板を支持し、上記プリズムカバーに固定されるホルダと、上記レンズを保持し、上記プリズムの光の入射面側において上記支持台板にねじで固定されるレンズマウントとを備える。
【０００９】
また、本発明に係る撮像装置は、レンズを通して入射された光を少なくとも２色に分解して出力するプリズムと、上記プリズムの相対する側面部に直付けされる基準部材となる支持台板と、上記支持台板に固定されるプリズムカバーと、上記プリズムで分解されて出力された光を撮像信号に変換して出力する撮像素子と、上記撮像素子が実装された撮像基板を支持し、上記プリズムカバーに固定されるホルダと、上記レンズを保持し、上記プリズムの光の入射面側において上記支持台板にねじで固定されるレンズマウントを備える。
【発明の効果】
【００１０】
本発明によれば、プリズムの側面部に直付けされた支持台板が基準部材となって、支持台板に、プリズムカバーとレンズマウントが取り付けられる。したがって、プリズムを構成するブロックの接合面で温度変化等が原因でずれが発生しても、プリズムに対する、例えば、プリズムカバーに取り付けられる撮像素子やレンズマウントのレンズの位置ずれを少なくすることができる。
【図面の簡単な説明】
【００１１】
【図１】本発明が適用された撮像ユニットの斜視図である。
【図２】本発明が適用された撮像ユニットの分解斜視図である。
【図３】プリズムの側面図である。
【図４】撮像ユニットの断面図である。
【図５】プリズムユニットをレンズマウントに取り付ける状態を示す分解斜視図である。
【図６】本発明の変形例を示す分解斜視図である。
【図７】撮像装置のブロック図である。
【発明を実施するための形態】
【００１２】
以下、本発明が適用された撮像ユニット及びこの撮像ユニットを用いた撮像装置について図面を参照して説明する。なお、発明を実施するための形態の欄では、本発明の適用例を、以下の順に従って説明する。
【００１３】
（１）撮像ユニットの説明
（１−１）プリズムの説明
（１−２）支持台板の説明
（１−３）プリズムカバーの説明
（１−４）撮像素子の説明
（１−５）撮像素子ユニットのプリズムカバーへの取付
（１−６）レンズマウントの説明
（１−７）作用効果
（１−８）変形例
（２）撮像装置の説明
【００１４】
（１）撮像ユニットの説明
図１及び図２に示す本発明が適用された撮像ユニット１０は、レンズを通して入射された撮像光を分解するプリズム１１と、プリズム１１に取り付けられる支持台板２１と、支持台板３１に固定されるプリズムカバー３１とを備える。更に、撮像ユニット１０は、撮像光の各成分に応じて設けられる撮像素子４１と、レンズ２０を保持するレンズマウント５１とを備える。
【００１５】
（１−１）プリズムの説明
プリズム１１は、図３に示すように、レンズ２０から入射された撮像光から緑色を分解し取り出す緑ブロック１２Ｇと、撮像光から青色を分解し取り出す青ブロック１２Ｂと、撮像光から赤色を分解し取り出す赤ブロック１２Ｒとを有する。このプリズム１１は、撮像光が入射される青ブロック１２Ｂに赤ブロック１２Ｒが取り付けられ、赤ブロック１２Ｒに緑ブロック１２Ｇが取り付けられている。これら緑ブロック１２Ｇと青ブロック１２Ｂと赤ブロック１２Ｒとは、それぞれがガラスブロックであり、互いの接触面において光硬化性接着剤等の光透過性接着剤により接合されて一体化されている。
【００１６】
このプリズム１１において、青ブロック１２Ｂは、レンズ２０を通過した撮像光が入射される第１の面１３を有している。この第１の面１３は、青用撮像素子に入射される青色光の反射面ともなる。この青ブロック１２Ｂには、赤ブロック１２Ｒが接合される。この接合面となる第２の面１４は、撮像光の青成分である青色光を第１の面１３の方向に反射すると共に赤成分である赤色光と緑成分である緑色光を透過する。また、赤ブロック１２Ｒには、緑ブロック１２Ｇが接合される。この接合面となる第３の面１５は、緑成分である緑色光を透過すると共に、赤色成分の赤色光を反射する。
【００１７】
すなわち、撮像光は、第１の面１３より入射される。そして、青色光は、第２の面１４で反射され、更に、第１の面１３で反射されることによって、青ブロック１２Ｂの出射面１７より出射され、青用撮像素子４１Ｂに入射される。赤色光は、第１及び第２の面１３，１４を透過すると、第３の面１５で反射され、更に、第２の面１４で反射されることによって、赤ブロック１２Ｒの出射面１８より出射され、赤用撮像素子４１Ｒに入射される。緑色光は、第１−第３の面１３，１４，１５を透過することによって、緑ブロック１２Ｇの出射面１９より出射され、直線の光路で、緑用撮像素子４１Ｇに入射される。すなわち、このプリズム１１では、赤色光、青色光、緑色光を分解して、それぞれ異なる方向に出射する。
【００１８】
（１−２）支持台板の説明
以上のようなプリズム１１には、図２に示すように、第１の面１３に対して垂直な隣り合う側面部１６，１６に、支持台板２１，２１が取り付けられる。支持台板２１，２１は、ガラスブロックのプリズム１１と線膨張係数を揃えたセラミックで形成されており、紫外線硬化型接着剤等で、プリズム１１の側面部１６，１６に直付けで固定される。この支持台板２１，２１は、プリズム１１に線膨張係数を合わせており、プリズムカバー３１やレンズマウント５１が取り付けられる基準部材となる。一方の支持台板２１には、プリズムカバー３１を取り付けるための第１のねじ穴２２，２２，２２が形成されていると共に、レンズマウント５１を取り付けるための第２のねじ穴２３，２３が形成されている。なお、第１及び第２のねじ穴２２，２３は、他方の支持台板２１に設ける用にしても良い。
【００１９】
（１−３）プリズムカバーの説明
側面部１６，１６に支持台板２１，２１が取り付けられたプリズム１１は、図２及び図４に示すように、プリズムカバー３１に保持される。このプリズムカバー３１は、例えばチタンで形成されている。このプリズムカバー３１は、プリズム１１の緑ブロック１２Ｇの部分を覆う第１のカバー部３２と、青ブロック１２Ｂと赤ブロック１２Ｒとを覆う第２のカバー部３３とを備えている。第１のカバー部３２の緑ブロック１２Ｇの出射面１９と対向する面には、出射面１９を、緑用撮像素子に臨ませる緑用開口部３４が形成され、緑用撮像素子ユニット４６Ｇの取付面３４ａとなっている。また、第２のカバー部３３の青ブロック１２Ｂの出射面１７と対向する面には、出射面１７を、青用撮像素子に臨ませる青用開口部３５が形成され、青用撮像素子ユニット４６Ｂの取付面３５ａとなっている。更に、第２のカバー部３３の赤ブロック１２Ｒの出射面１８と対向する面には、出射面１８を、赤用撮像素子に臨ませる赤用開口部３６が形成され、赤用撮像素子ユニット４６Ｒの取付面３６ａとなっている。
【００２０】
プリズムカバー３１の側面部は、図２に示すように、略Ｖ字状の取付開口部３７が形成されている。取付開口部３７は、プリズム１１の支持台板２１，２１が臨まされる部分であり、第１のねじ穴２２，２２，２２に対応したねじ挿通孔３８，３８，３８が形成されている。プリズムカバー３１には、プリズム用ねじ３９，３９，３９を、ねじ挿通孔３８，３８，３８を介してプリズム１１の側面部１６，１６に取り付けられた支持台板２１の第１のねじ穴２２，２２，２２に締め付けることによって、プリズム１１が取り付けられる。
【００２１】
プリズム１１は、支持台板２１，２１を介してプリズムカバー３１に取り付けられることで、プリズムユニット４０となる。
【００２２】
（１−４）撮像素子の説明
この撮像ユニット１０には、図１及び図２に示すように、赤用撮像素子４１Ｒと緑用撮像素子４１Ｇと青用撮像素子４１Ｂとが配設される。なお、図２では、緑用撮像素子の取付構造のみを示し、赤用撮像素子と青用撮像素子の取付構造は、緑用撮像素子の取付構造と同じため省略している。
【００２３】
この撮像ユニット１０で用いる撮像素子４１Ｒ，４１Ｇ，４１Ｂは、ＣＭＯＳ（Complementary Metal Oxide Semiconductor）素子を用いている。なお、撮像素子としては、ＣＣＤ（Charge Coupled Devices）素子その他の撮像素子を用いても良い。
【００２４】
各撮像素子４１Ｒ，４１Ｇ，４１Ｂは、駆動回路等が設けられたプリント配線基板等の撮像基板４２Ｒ，４２Ｇ，４２Ｂの実装領域に実装される。そして、撮像素子４１Ｒ，４１Ｇ，４１Ｂが実装された撮像基板４２Ｒ，４２Ｇ，４２Ｂは、ホルダ４３Ｒ，４３Ｇ，４３Ｂに固定される。具体的に、ホルダ４３Ｒ，４３Ｇ，４３Ｂは、チタンで形成された略矩形の板金であって、中央に、撮像素子４１Ｒ，４１Ｇ，４１Ｂをプリズム１１の各出射面１７，１８，１９に臨ませる撮像開口部４４Ｒ，４４Ｇ，４４Ｂが形成されている。ホルダ４３Ｒ，４３Ｇ，４３Ｂは、撮像開口部４４Ｒ，４４Ｇ，４４Ｂの両側に、ねじ穴４５，４５が形成されている。ホルダ４３Ｒ，４３Ｇ，４３Ｂには、ねじ４５ａ，４５ａが撮像基板４２Ｒ，４２Ｇ，４２Ｂのねじ挿通孔４５ｂ，４５ｂに挿通され、ねじ穴４５，４５に締め付けられる。これによって、ホルダ４３Ｒ，４３Ｇ，４３Ｂには、撮像素子４１Ｒ，４１Ｇ，４１Ｂが実装された撮像基板４２Ｒ，４２Ｇ，４２Ｂが固定される。撮像素子４１Ｒ，４１Ｇ，４１Ｂは、ホルダ４３Ｒ，４３Ｇ，４３Ｂにねじ止めされることで、撮像素子ユニット４６Ｒ，４６Ｇ，４６Ｂとなる。更に、ホルダ４３Ｒ，４３Ｇ，４３Ｂとプリズムカバー３１の各取付面３４ａ，３５ａ，３６ａとの間には、弾性体等形成された防振遮光シート５７が介在される。
【００２５】
また、ホルダ４３Ｒ，４３Ｇ，４３Ｂには、ヒートシンク４７Ｒ，４７Ｇ，４７Ｂが取り付けられる。ヒートシンク４７Ｒ，４７Ｇ，４７Ｂは、略矩形の板状部に波状の放熱部が形成され、両側に、取付片４８，４８が形成されている。取付片４８，４８には、ホルダ４３Ｒ，４３Ｇ，４３Ｂの両端部に固定するための取付孔４８ａが形成されている。ヒートシンク４７Ｒ，４７Ｇ，４７Ｂは、取付片４８，４８の取付孔４８ａに止めねじ４９を挿通し、ホルダ４３Ｒ，４３Ｇ，４３Ｂの両端部の固定孔４９ａに締め付けられる。撮像素子４１Ｒ，４１Ｇ，４１Ｂで発生した熱は、撮像素子４１Ｒ，４１Ｇ，４１Ｂの裏面に突き当てられた突き当て部４７ａからヒートシンク４７Ｒ，４７Ｇ，４７Ｂに伝えられ、放熱される。また、撮像素子４１Ｒ，４１Ｇ，４１Ｂで発生した熱は、ホルダ４３Ｒ，４３Ｇ，４３Ｂを介してヒートシンク４７Ｒ，４７Ｇ，４７Ｂに伝えられ、放熱される。
【００２６】
撮像素子４１Ｒ，４１Ｇ，４１Ｂは、撮像基板４２Ｒ，４２Ｇ，４２Ｂがホルダ４３Ｒ，４３Ｇ，４３Ｂにねじ止めされ、ヒートシンク４７Ｒ，４７Ｇ，４７Ｂがホルダ４３Ｒ，４３Ｇ，４３Ｂにねじ止めされることで、撮像素子ユニット４６Ｒ，４６Ｇ，４６Ｂとして取り扱われる。
【００２７】
（１−５）撮像素子ユニットのプリズムカバーへの取付
以上のような撮像素子ユニット４６Ｒ，４６Ｇ，４６Ｂは、プリズムカバー３１の側面部に固定される。すなわち、撮像素子ユニット４６Ｒ，４６Ｇ，４６Ｂは、図２及び図４に示すように、接着部材となるガラス部材５０によってプリズムカバー３１の側面部３１ａ，３１ａに固定される。ガラス部材５０は、略四角柱状に形成されており、ガラスブロックの結合体であるプリズム１１と線膨張係数が略同じであり、また、チタンで形成されたプリズムカバー３１とホルダ４３と線膨張係数を揃えたものとなっている。
【００２８】
略四角柱のガラス部材５０は、一側面を、ホルダ４３への接着面とし、この一側面と隣接する他側面をプリズムカバー３１の側面部への接着面とし、紫外線硬化型接着剤等の接着剤によって、ホルダ４３とプリズムカバー３１の側面部に接着される。
【００２９】
かくして、プリズム１１の支持台板２１，２１には、プリズムカバー３１が取り付けられ、更に、プリズムカバー３１には、ガラス部材５０を介して撮像素子ユニット４６Ｒ，４６Ｇ，４６Ｂのホルダ４３Ｒ，４３Ｇ，４３Ｂが接着される。
【００３０】
（１−６）レンズマウントの説明
レンズマウント５１は、図２及び図５に示すように、基台部５２にレンズ鏡筒が取り付けられる略円筒状のマウント部５３が形成されている。また、基台部５２には、プリズム１１が取り付けられる側に、プリズム１１を取り付けるための取付片５４が形成されている。取付片５４には、挿通孔５５，５５が形成されている。
【００３１】
この取付片５４には、プリズム１１の側面部に取り付けられた支持台板２１，２１が取り付けられる。支持台板２１には、ねじ穴５５，５５が形成されている。プリズム１１は、ねじ５６，５６を、取付片５４の挿通孔５５，５５に挿通し、支持台板２１の第２のねじ穴２３，２３にねじ５６，５６を締め付けることによって固定される。
【００３２】
（１−７）作用効果
以上のように構成された撮像ユニット１０では、先ず、プリズム１１の側面部１６，１６に紫外線硬化型接着剤等でセラミック製の支持台板２１，２１を固定し、プリズムカバー３１やレンズマウント５１を取り付けるに当たっての基準部材とする。別の工程では、ホルダ４３Ｒ，４３Ｇ，４３Ｂに、撮像素子４１Ｒ，４１Ｇ，４１Ｂが実装された撮像基板４２Ｒ，４２Ｇ，４２Ｂとヒートシンク４７Ｒ，４７Ｇ，４７Ｂとをねじ止めし、撮像素子ユニット４６Ｒ，４６Ｇ，４６Ｂを完成させる。また、別工程では、この支持台板２１，２１に、プリズムカバー３１をねじ止めし、プリズムユニット４０を完成させる。この後、共にチタン製のプリズムカバー３１と撮像素子４１Ｒ，４１Ｇ，４１Ｂを保持しているホルダ４３Ｒ，４３Ｇ，４３Ｂとは、線膨張係数が揃ったガラス部材５０を介して紫外線硬化型接着剤等の接着剤によって接着される。この後、レンズマウント５１には、レンズマウント５１の取付片５４に、プリズム１１の支持台板２１，２１がねじ止めされる。
【００３３】
以上のように組み立てられた撮像ユニット１０において、レンズマウント５１に取り付けられたレンズ鏡筒のレンズ２０よりプリズム１１に入射した光は、まず、プリズム１１の青ブロック１２Ｂによって青色光が分解され、青用撮像素子４１Ｂに結像される。次に、プリズム１１の赤ブロック１２Ｒでは、赤色光が分解され、赤用撮像素子４１Ｒに結像される。更に、プリズム１１の緑色光は、緑ブロック１２Ｇを透過し、緑用撮像素子４１Ｇに結像される。
【００３４】
従来の撮像ユニットは、上述のように、プリズムに、線膨張係数を合わせた部品を直接取り付け、撮像素子側にも同様の部品を取り付け、位置あわせ後、半田よって固定するようにしている。すなわち、プリズムには、撮像素子が直接的に固定されていた。このため、プリズムの各ブロックの接合面で発生する温度特性によるずれが、撮像素子の位置ずれを生じさせていた。この点、本発明が適用された撮像ユニット１０では、プリズム１１に撮像素子４１Ｒ，４１Ｇ，４１Ｂを直接的に取り付けていないので、プリズム１１のブロック１２Ｒ、１２Ｇ、１２Ｇの接合面で発生するずれを無視することができる。
【００３５】
具体的に、プリズム１１が取り付けられたプリズムカバー３１と撮像素子４１Ｒ，４１Ｇ，４１Ｂを有するホルダ４３Ｒ，４３Ｇ，４３Ｂとの接続は、ガラス部材５０を用いて行う。そして、プリズムカバー３１とホルダ４３Ｒ，４３Ｇ，４３Ｂは、チタンで形成され、ガラス部材５０と線膨張係数を揃えている。したがって、撮像ユニット１０では、プリズム１１の温度特性によるずれに依存する撮像素子４１Ｒ，４１Ｇ，４１Ｂの位置ずれを小さくすることができる。
【００３６】
また、この撮像ユニット１０の中では、プリズム１１と撮像素子４１Ｒ，４１Ｇ，４１Ｂが高価な部品である。この点、撮像素子４１Ｒ，４１Ｇ，４１Ｂが実装された撮像基板４２Ｒ，４２Ｇ，４２Ｂは、ホルダ４３Ｒ，４３Ｇ，４３Ｂにねじ止めされているだけなので、交換が容易である。また、プリズム１１を支持台板２１，２１を介してプリズムカバー３１に取り付けたプリズムユニット４０と撮像素子４１Ｒ，４１Ｇ，４１Ｂを実装した撮像基板４２Ｒ，４２Ｇ，４２Ｂをホルダ４３Ｒ，４３Ｇ，４３Ｂに固定した撮像素子ユニット４６Ｒ，４６Ｇ，４６Ｂとは、ガラス部材５０を介して接着されているだけである。したがって、ガラス部材５０をめくることで、プリズムユニット４０と撮像素子ユニット４６Ｒ，４６Ｇ，４６Ｂを容易に分離することができる。そして、プリズムカバー３１からは、ねじを外すことで、容易にプリズム１１のみを取り出すことができる。したがって、この撮像ユニット１０では、高価なプリズム１１や撮像素子４１Ｒ，４１Ｇ，４１Ｂの再利用が容易となる。
【００３７】
（１−８）変形例
以上説明した撮像ユニット１０では、プリズムカバー３１が、プリズム１１を覆うような構成としたが、図６に示すように、プリズムカバー３１は、プリズム１１の側面部１６，１６の支持台板２１，２１に対応する２分割した構成としても良い。すなわち、図６の例では、プリズムカバー３１を、プリズム１１の側面部１６，１６の支持台板２１，２１に対応するプリズムカバー板６１，６１とする。図６に示すプリズムカバー板６１，６１によっても、プリズムカバー３１と同様な作用効果を得ることができる。図６のプリズムカバー６１，６１では、プリズムカバー３１の構成の簡素化を図ることができ、プリズム１１の各ブロック１２Ｒ，１２Ｇ，１２Ｂを覆う部分が無い分、小型化や軽量化を実現できる。
また、ガラスブロックの結合体であるプリズム１１に対して取り付けられる支持台板２１，２１やプリズムカバー３１やホルダ４３の材質は、線膨張係数近似したものであれば特に限定されるものではない。
【００３８】
（２）撮像装置の説明
以上説明した撮像ユニット１０は、図７に示すように、撮像装置である例えばビデオカメラ６０に用いられる。このビデオカメラ６０は、レンズ鏡筒６１と、上述した撮像ユニット１０と、撮像信号処理部６２と、映像信号処理部６３と、制御部６４と、モニタ６５と、ユーザインタフェース６６等を備えている。
【００３９】
レンズ鏡筒６１は、凸レンズや凹レンズ等の複数のレンズ２０の組み合わせからなり、フォーカス機能やズーム機能その他の機能を有している。このレンズ鏡筒６１の被写体と反対側に撮像ユニット１０が取り付けられている。撮像ユニット１０には撮像信号処理部６２が接続され、撮像信号処理部６２には映像信号処理部６３が接続され、映像信号処理部６３にはモニタ６５が接続されている。レンズ鏡筒６１と撮像ユニット１０と撮像信号処理部６２と映像信号処理部６３には制御部６４が接続されており、これらが制御部６４から出力される制御信号によって駆動制御される。
【００４０】
制御部６４にはユーザインタフェース６６が接続されており、ユーザインタフェース６６は、カメラ本体に設けられた接続端子６７と接続されている。この接続端子６７を介して、ビデオカメラ６０が充電器その他の外部装置と接続可能となっている。また、映像信号処理部６３には出力端子６８が接続されており、この出力端子６８を介してテレビジョンやステレオ装置その他の外部装置と接続可能とされている。
【００４１】
このビデオカメラ６０では、撮像素子４１Ｒ，４１Ｇ，４１Ｂに撮像光が結像されると、撮像信号処理部６２において、例えばアナログデータがディジタルデータに変換する等の処理が施され、映像信号処理部６３において、圧縮処理等が施される。そして、映像信号は、例えば、出力端子６８より出力され、外部の記憶装置等に保存される。また、撮像された撮像信号は、撮像信号処理部６２や映像信号処理部６３において所定の信号処理が施された後、モニタ６５に出力され表示される。
【００４２】
以上のようなビデオカメラ６０では、撮像ユニット１０において、プリズム１１が取り付けられたプリズムカバー３１と撮像素子４１Ｒ，４１Ｇ，４１Ｂを有するホルダ４３Ｒ，４３Ｇ，４３Ｂとの接続を、ガラス部材５０を用いて行っている。そして、プリズムカバー３１とホルダ４３Ｒ，４３Ｇ，４３Ｂをチタンとし、ガラス部材５０と線膨張係数を揃えている。したがって、撮像ユニット１０は、プリズム１１の温度特性によるずれに依存する撮像素子４１Ｒ，４１Ｇ，４１Ｂの位置ずれが小さくなっている。したがって、このような撮像ユニット１０を用いたビデオカメラ６０では、撮像される画像に歪みやぼけが発生することなく、高品質の画像を撮像することができる。
【００４３】
以上の例では、撮像装置としてビデオカメラに適用した例を説明したが、本発明はビデオカメラに限定されるものではなく、監視カメラ、デジタルカメラ、その他の撮像装置に適用できるものである。更に、前記実施例では、３板式の撮像ユニットを例に挙げて説明したが、２板式や４板式等の撮像ユニットにも適用できる。
【符号の説明】
【００４４】
１０  撮像ユニット、１１  プリズム、１２Ｂ  青ブロック、１２Ｇ  緑ブロック、１２Ｇ  青ブロック、１２Ｒ  赤ブロック、１３  第１の面、１４  第２の面、１５  第３の面、１６  側面部、１７  出射面、１８  出射面、１９  出射面、２０  レンズ、２１  支持台板、２２  第１のねじ穴、２３  第２のねじ穴、３１  支持台板、３１ａ  側面部、３２  第１のカバー部、３３  第２のカバー部、３４  緑用開口部、３４ａ  取付面、３５  青用開口部、３５ａ  取付面、３６  赤用開口部、３６ａ  取付面、３７  取付開口部、３８  ねじ挿通孔、３９  プリズム用ねじ、４０  プリズムユニット、４１Ｒ，４１Ｇ，４１Ｂ  撮像素子、４２Ｒ，４２Ｇ，４２Ｂ  撮像基板、４３Ｒ，４３Ｇ，４３  ホルダ、４４Ｒ，４４Ｇ，４４Ｂ  撮像開口部、４５  ねじ穴、４５ａ  ねじ、４６Ｒ，４６Ｇ，４６Ｂ  撮像素子ユニット、４７Ｒ，４７Ｇ，４７Ｂ  ヒートシンク、４７ａ  突き当て部、４８  取付片、４８ａ  取付孔、４９ａ  固定孔、５０  ガラス部材、５１  レンズマウント、５２  基台部、５３  マウント部、５４  取付片、５５，５５  挿通孔、５６  ねじ、５７  防振遮光シート、６０  ビデオカメラ、６１  レンズ鏡筒
【図１】
0005544860.tif 000002
【図２】
0005544860.tif 000003
【図３】
0005544860.tif 000004
【図４】
0005544860.tif 000005
【図５】
0005544860.tif 000006
【図６】
0005544860.tif 000007
【図７】
0005544860.tif 000008